(57)【要約】【課題】介護ベッドのベッド柵、被介護者を端座させる際の端座補助具及び被介護者を車いす等に移乗させる際の移乗補助具として利用可能な介護ベッド用補助具及びこれを用いた介護ベッドを提供する。【解決手段】介護ベッド用補助具１は、介護ベッドの側端部に固定するための連結部材１１、連結部材１１に対して垂直軸回りに回動自在に支持された支柱１２ａ及び１２ｂ、支柱１２ａ及び１２ｂにそれぞれ片持ち状に固設された梁状体１３ａ及び１３ｂ、梁状体１３ｂに垂直軸回りに回動自在に支持された枠状体１５、並びに支柱１２ａ、１２ｂ及び枠状体１５の変位をそれぞれ保持するためのロックレバー１４ａ、１４ｂ及び１４ｃ並びにこれらに連動して動作するロック機構（図示せず）等により構成されている。【選択図】図１
0003158671.tif 000002
【実用新案登録請求の範囲】
【請求項１】
第１の支柱と、
前記第１の支柱をベッド側端部に立設するための第１の連結部と、
前記第１の支柱に片持ち状に連結された第１の梁状体と、
第２の支柱と、
前記第１の連結部と一体となって又は独立して、前記第２の支柱をベッド側端部に立設するための第２の連結部と、
前記第２の支柱に片持ち状に連結された第２の梁状体と、
前記第２の梁状体の略先端部に連結された扁平構造体と、
を備えたことを特徴とする、介護ベッド用補助具。
【請求項２】
前記第１の梁状体は、少なくともベッド側端部に対して略平行な状態及び略垂直な状態に変位可能であり、
前記第２の梁状体は、少なくともベッド側端部に対して略平行な状態及び略垂直な状態に変位可能であり、
前記扁平構造体の平面は、少なくとも前記第２の梁状体に対して略平行な状態及び略垂直な状態に変位可能であることを特徴とする、
請求項１に記載の介護ベッド用補助具。
【請求項３】
前記第１の支柱は、前記第１の連結部に垂直軸回りに回動自在に連結され、
前記第２の支柱は、前記第２の連結部に垂直軸回りに回動自在に連結されたことを特徴とする、
請求項２に記載の介護ベッド用補助具。
【請求項４】
前記第１の梁状体は、前記第１の支柱に垂直軸回りに回動自在に連結され、
前記第２の梁状体は、前記第２の支柱に垂直軸回りに回動自在に連結されたことを特徴とする、
請求項２に記載の介護ベッド用補助具。
【請求項５】
前記第１の連結部は、ベッド側端部に垂直軸回りに回動自在に連結され、
前記第２の連結部は、前記第１の連結部と独立して、ベッド側端部に垂直軸回りに回動自在に連結されるように構成されたことを特徴とする、
請求項２に記載の介護ベッド用補助具。
【請求項６】
前記扁平構造体は、前記第２の梁状体の略先端部に垂直軸回りに回動自在に連結されたことを特徴とする、
請求項２〜５の何れか１項に記載の介護ベッド用補助具。
【請求項７】
前記第１の梁状体の変位を保持するための第１の変位保持手段と、
前記第２の梁状体の変位を保持するための第２の変位保持手段と、
前記扁平構造体の変位を保持するための第３の変位保持手段と、
を備えたことを特徴とする、請求項２〜６の何れか１項に記載の介護ベッド用補助具。
【請求項８】
前記第１の連結部は、ベッド側端部に水平方向に摺動自在に連結され、
前記第２の連結部は、前記第１の連結部と一体となって又は独立して、ベッド側端部に水平方向に摺動自在に連結されるように構成されたことを特徴とする、
請求項１〜７の何れか１項に記載の介護ベッド用補助具。
【請求項９】
前記第１の連結部及び前記第２の連結部の変位を保持するための第４の変位保持手段を備えたことを特徴とする、
請求項８に記載の介護ベッド用補助具。
【請求項１０】
前記第１の梁状体と前記第２の梁状体と前記扁平構造体とがベッド側端部に対して略平行になるように折り畳んだ第１の形態と、
前記第２の梁状体がベッド側端部に対して略垂直になるようにベッドの内方向に展開し、且つ前記扁平構造体の平面が前記第２の梁状体に対して略垂直になるように展開した第２の形態と、
の少なくとも２つの形態に変形可能であり、
前記第１の形態はベッド柵として利用され、前記第２の形態は端座補助具として利用されることを特徴とする、
請求項１〜９の何れか１項に記載の介護ベッド用補助具。
【請求項１１】
前記第１の梁状体と前記第２の梁状体とがベッド側端部に対して略垂直になるようにベッドの外方向に展開し、且つ前記扁平構造体の平面が前記第２の梁状体に対して略平行になるように展開した第３の形態に更に変形可能であり、
前記第３の形態は移乗補助具として利用されることを特徴とする、
請求項１〜１０の何れか１項に記載の介護ベッド用補助具。
【請求項１２】
前記第１の梁状体と前記第２の梁状体とがベッド側端部に対して略垂直になるようにベッドの外方向に展開し、且つ前記扁平構造体の平面が前記第２の梁状体に対して略垂直になるように展開した第４の形態に更に変形可能であり、
前記第４の形態はリハビリ訓練用補助具として利用されることを特徴とする、
請求項１〜１１の何れか１項に記載の介護ベッド用補助具。
【請求項１３】
請求項１〜１２の何れか１項に記載の介護ベッド用補助具を備えたことを特徴とする、介護ベッド。
【考案の詳細な説明】
【技術分野】
【０００１】
本考案は、介護ベッド用補助具及びこれを用いた介護ベッドに関する。詳しくは、介護ベッドのベッド柵、被介護者を端座させる際の端座補助具及び被介護者を車いす等に移乗させる際の移乗補助具として利用可能な介護ベッド用補助具及びこれを用いた介護ベッドに関するものである。
【背景技術】
【０００２】
病院や介護施設等に入院又は入居している虚弱高齢者等の多くは、全面的な介護が必要な寝たきり状態ではないが、事故、病気、老い等により心身機能、特に体位変更機能や歩行機能等が衰えているため、ベッド上で過ごす時間が多い。ベッド上では、ベッドの床部を起こしたりクッション等を背中に挟んだりして背凭れを作り、食事等の限られた時に長座位の姿勢を取ることもあるが、それ以外は殆ど臥位のままである。このような状況下では、本来人間が立位等を取る時に使われる脊柱起立筋が廃用性萎縮をきたし、座位や立位等を保持する筋力が衰えてしまうので、ベッド上においても臥位だけでなく座位、特に端座位を積極的に取らせる必要がある。
【０００３】
従来は、枕やクッション等を虚弱高齢者等の腰部に当てて端座位を取らせていたが、虚弱高齢者等は自力で端座位の姿勢を維持することができず、枕等を腰部に当てただけでは前のめりに倒れてしまうので、必ず介助者等が横について補助する必要があった。従って、看護師や介護士等の人員が不足している病院や介護施設等では対応ができず、虚弱高齢者等に対して座位を保持するための、又は座位から立位へと姿勢を変えるための適切なリハビリ訓練等を行うことができないという問題があった。
【０００４】
一方、ポータブルトイレ等への移乗を補助するためのベッドが提案されている（例えば、特許文献１〜３参照）。これらのベッドは、介護ベッド用補助具の一部をベッドの側端部に対して垂直になるように回動させることで、虚弱高齢者等が排泄やリハビリ訓練等のためにベッドからポータブルトイレや車いす等に移乗する際の手摺りとして利用可能なものである。しかしながら、かかるベッド柵は、移乗用の手摺りとして利用することしかできないので、これを用いて介助者等の補助無く虚弱高齢者等に端座位を取らせることはできず、現状では虚弱高齢者等が独りで安全に端座位の姿勢を維持することが可能なベッド柵及びこれを用いたベッドは存在していなかった。
【先行技術文献】
【特許文献】
【０００５】
【特許文献１】特開平５−６３５３４号公報
【特許文献２】特開平１０−１７９６５２号公報
【特許文献３】特開２００２−３３１００１号公報
【考案の概要】
【考案が解決しようとする課題】
【０００６】
そこで本考案は、上記従来技術の有する問題点に鑑みなされたものであり、その目的とするところは、介護ベッドのベッド柵、被介護者を端座させる際の端座補助具及び被介護者を車いす等に移乗させる際の移乗補助具として利用可能な介護ベッド用補助具及びこれを用いた介護ベッドを提供することにある。
【課題を解決するための手段】
【０００７】
本考案の上記目的は、下記の手段によって達成される。
【０００８】
（１）すなわち、本考案は、第１の支柱と、前記第１の支柱をベッド側端部に立設するための第１の連結部と、前記第１の支柱に片持ち状に連結された第１の梁状体と、第２の支柱と、前記第１の連結部と一体となって又は独立して、前記第２の支柱をベッド側端部に立設するための第２の連結部と、前記第２の支柱に片持ち状に連結された第２の梁状体と、前記第２の梁状体の略先端部に連結された扁平構造体と、を備えたことを特徴とする、介護ベッド用補助具である。
【０００９】
（２）本発明はまた、前記第１の梁状体は、少なくともベッド側端部に対して略平行な状態及び略垂直な状態に変位可能であり、前記第２の梁状体は、少なくともベッド側端部に対して略平行な状態及び略垂直な状態に変位可能であり、前記扁平構造体の平面は、少なくとも前記第２の梁状体に対して略平行な状態及び略垂直な状態に変位可能であることを特徴とする、（１）に記載の介護ベッド用補助具である。
【００１０】
（３）本発明はまた、前記第１の支柱は、前記第１の連結部に垂直軸回りに回動自在に連結され、前記第２の支柱は、前記第２の連結部に垂直軸回りに回動自在に連結されたことを特徴とする、（２）に記載の介護ベッド用補助具である。
【００１１】
（４）本発明はまた、前記第１の梁状体は、前記第１の支柱に垂直軸回りに回動自在に連結され、前記第２の梁状体は、前記第２の支柱に垂直軸回りに回動自在に連結されたことを特徴とする、（２）に記載の介護ベッド用補助具である。
【００１２】
（５）本発明はまた、前記第１の連結部は、ベッド側端部に垂直軸回りに回動自在に連結され、前記第２の連結部は、前記第１の連結部と独立して、ベッド側端部に垂直軸回りに回動自在に連結されるように構成されたことを特徴とする、（２）に記載の介護ベッド用補助具である。
【００１３】
（６）本発明はまた、前記扁平構造体は、前記第２の梁状体の略先端部に垂直軸回りに回動自在に連結されたことを特徴とする、（２）〜（５）の何れか１項に記載の介護ベッド用補助具である。
【００１４】
（７）本発明はまた、前記第１の梁状体の変位を保持するための第１の変位保持手段と、前記第２の梁状体の変位を保持するための第２の変位保持手段と、前記扁平構造体の変位を保持するための第３の変位保持手段と、を備えたことを特徴とする、（２）〜（６）の何れか１項に記載の介護ベッド用補助具である。
【００１５】
（８）本発明はまた、前記第１の連結部は、ベッド側端部に水平方向に摺動自在に連結され、前記第２の連結部は、前記第１の連結部と一体となって又は独立して、ベッド側端部に水平方向に摺動自在に連結されるように構成されたことを特徴とする、（１）〜（７）の何れか１項に記載の介護ベッド用補助具である。
【００１６】
（９）本発明はまた、前記第１の連結部及び前記第２の連結部の変位を保持するための第４の変位保持手段を備えたことを特徴とする、（８）に記載の介護ベッド用補助具である。
【００１７】
（１０）本発明はまた、前記第１の梁状体と前記第２の梁状体と前記扁平構造体とがベッド側端部に対して略平行になるように折り畳んだ第１の形態と、前記第２の梁状体がベッド側端部に対して略垂直になるようにベッドの内方向に展開し、且つ前記扁平構造体の平面が前記第２の梁状体に対して略垂直になるように展開した第２の形態と、の少なくとも２つの形態に変形可能であり、前記第１の形態はベッド柵として利用され、前記第２の形態は端座補助具として利用されることを特徴とする、（１）〜（９）の何れか１項に記載の介護ベッド用補助具である。
【００１８】
（１１）本発明はまた、前記第１の梁状体と前記第２の梁状体とがベッド側端部に対して略垂直になるようにベッドの外方向に展開し、且つ前記扁平構造体の平面が前記第２の梁状体に対して略平行になるように展開した第３の形態に更に変形可能であり、前記第３の形態は移乗補助具として利用されることを特徴とする、（１）〜（１０）の何れか１項に記載の介護ベッド用補助具である。
【００１９】
（１２）本発明はまた、前記第１の梁状体と前記第２の梁状体とがベッド側端部に対して略垂直になるようにベッドの外方向に展開し、且つ前記扁平構造体の平面が前記第２の梁状体に対して略垂直になるように展開した第４の形態に更に変形可能であり、前記第４の形態はリハビリ訓練用補助具として利用されることを特徴とする、（１）〜（１１）の何れか１項に記載の介護ベッド用補助具である。
【００２０】
（１３）また、本発明は、（１）〜（１２）の何れか１項に記載の介護ベッド用補助具を備えたことを特徴とする、介護ベッドである。
【考案の効果】
【００２１】
本考案の介護ベッド用補助具によれば、第１の支柱と、前記第１の支柱をベッド側端部に立設するための第１の連結部と、前記第１の支柱に片持ち状に連結された第１の梁状体と、第２の支柱と、前記第１の連結部と一体となって又は独立して、前記第２の支柱をベッド側端部に立設するための第２の連結部と、前記第２の支柱に片持ち状に連結された第２の梁状体と、前記第２の梁状体の略先端部に連結された扁平構造体と、を備え、前記第１の梁状体と前記第２の梁状体と前記扁平構造体とがベッド側端部に対して略平行になるように折り畳むことができるので、ベッド柵として利用することができ、被介助者が介護ベッドから落下するのを防止することができるだけでなく、被介助者が寝返りを打ったり起き上がったりするのを補助することができる。
【００２２】
また、本考案の介護ベッド用補助具によれば、前記第２の梁状体がベッド側端部に対して略垂直になるようにベッドの内方向に展開し、且つ前記扁平構造体の平面が前記第２の梁状体に対して略垂直になるように展開することにより、端座補助具として被介護者の端座の姿勢を保持するので、被介護者が独りで安全に端座位を取ることができ、適切なリハビリ訓練を行うことができる。
【００２３】
また、本考案の介護ベッド用補助具によれば、前記第１の梁状体と前記第２の梁状体とがベッド側端部に対して略垂直になるようにベッドの外方向に展開し、且つ前記扁平構造体の平面が前記第２の梁状体に対して略平行になるように展開することにより、移乗補助具として機能するので、被介助者が移乗補助具に掴まって介護ベッドから車いすやポータブルトイレ等へ安全に移乗することができる。
【００２４】
また、本考案の介護ベッド用補助具によれば、上述した通りの構成に加えて、前記第１の連結部は、ベッド側端部に水平方向に摺動自在に連結され、前記第２の連結部は、前記第１の連結部と一体となって又は独立して、ベッド側端部に水平方向に摺動自在に連結されるように構成されているので、不要な時は介護ベッドの側端部の両端部に避けておき、必要に応じて所定の位置に移動させて、上記と同様にしてベッド柵、端座補助具又は移乗補助具として利用することができる。
【図面の簡単な説明】
【００２５】
【図１】本考案の第１の実施形態にかかる介護ベッド用補助具１の全体構成を示す概念図である。
【図２】介護ベッド用補助具１のベッド柵としての利用態様を説明するための概念図である。
【図３】介護ベッド用補助具１の端座補助具としての利用態様を説明するための概念図である。
【図４】介護ベッド用補助具１の移乗補助具としての利用態様を説明するための概念図である。
【図５】本考案の第２の実施形態にかかる介護ベッド用補助具２の全体構成を示す概念図である。
【図６】図５に示した介護ベッド用補助具２のＡ−Ａ断面図である。
【図７】介護ベッド用補助具２のベッド柵としての利用態様を説明するための概念図である。
【考案を実施するための形態】
【００２６】
以下、本考案の実施の形態を、図面を参照して詳細に説明する。
【００２７】
図１は、本考案の第１の実施形態にかかる介護ベッド用補助具１の全体構成を示す概念図である。図１において、連結部材１１は介護ベッド用補助具１を介護ベッド（図示せず）の側端部に固定するための平板状の部材であり、連結部材１１の底面の両端部に設けられた略円柱状の突起部１１１ａ及び１１１ｂを介護ベッドの側端部上面に設けられた取り付け穴（図示せず）にそれぞれ嵌合させることにより、介護ベッド用補助具１を介護ベッドの側端部に固定することができるようになっている。
【００２８】
連結部材１１の上面の一端部（図中の向かって右側）には略円管状の支柱１２ａが立設されており、支柱１２ａの略上端部には略円管状の梁状体１３ａが支柱１２ａに対して略垂直になるように片持ち状に固設されている。支柱１２ａは、連結部材１１に対して垂直軸回り（支柱１２ａの中心軸回り）に回動自在に支持されており、支柱１２ａの上端部に設けられたロックレバー１４ａ及びこれに連動して動作するロック機構（図示せず）により、所定の又は任意の回転角で固定可能に構成されている。このような構成とすることにより、介護ベッド用補助具１は、梁状体１３ａを垂直軸回り（支柱１２ａの中心軸回り）に回動させて、梁状体１３ａの位置を少なくとも３つの状態、即ち支柱１２ｂ側でベッドの側端部に対して略平行な状態（図示した状態）、ベッドの内側（図中の奥側）でベッドの側端部に対して略垂直な状態、及びベッドの外側（図中の手前側）でベッドの側端部に対して略垂直な状態、に変位させ、それぞれの状態で固定できるようになっている。
【００２９】
また、連結部材１１の上面の他端部（図中の向かって左側）には略円管状の支柱１２ｂが立設されており、支柱１２ｂの略中央部には略円管状の２つの梁状体１３ｂが互いに略平行且つ支柱１２ｂに対して略垂直になるように片持ち状にそれぞれ固設されている。支柱１２ｂは、支柱１２ａと同様にして連結部材１１に対して垂直軸回り（支柱１２ｂの中心軸回り）に回動自在に支持されており、支柱１２ｂの上端部に設けられたロックレバー１４ｂ及びこれに連動して動作するロック機構（図示せず）により、所定の又は任意の回転角で固定可能に構成されている。このような構成とすることにより、介護ベッド用補助具１は、梁状体１３ｂを垂直軸回り（支柱１２ｂの中心軸回り）に回動させて、梁状体１３ｂの位置を少なくとも３つの状態、即ち支柱１２ａ側でベッドの側端部に対して略平行な状態（図示した状態）、ベッドの内側（図中の奥側）でベッドの側端部に対して略垂直な状態、及びベッドの外側（図中の手前側）でベッドの側端部に対して略垂直な状態、に変位させ、それぞれの状態で固定できるようになっている。
【００３０】
また、梁状体１３ｂの先端部には、略円管体で構成された枠状体１５がその一辺の略中央部で垂直軸回りに回動自在に支持されており、枠状体１５の前記一辺の下端部に設けられたロックレバー１４ｃ及びこれに連動して動作するロック機構（図示せず）により、所定の又は任意の回転角で固定可能に構成されている。このような構成とすることにより、介護ベッド用補助具１は、枠状体１５を梁状体１３ｂの先端部で垂直軸回りに回動させて、枠状体１５の位置を少なくとも４つの状態、即ち支柱１２ｂ側で梁状体１３ｂに対して略平行な状態（図示した状態）、支柱１２ｂと反対側で梁状体１３ｂに対して略平行な状態、図中の奥側で梁状体１３ｂに対して略垂直な状態、及び図中の手前側で梁状体１３ｂに対して略垂直な状態、に変位させ、それぞれの状態で固定できるようになっている。
【００３１】
なお、本実施形態で利用される上記ロック機構は、支柱１２ａ若しくは１２ｂ又は枠状体１５を回転軸回りに所定の又は任意の回転角で固定することができるものであれば特に限定されるものではなく、例えば特許文献１に記載されたような、支持体の中心部に連通させた軸部材を介してロックレバーと連動する連動噛み合い部材が固定噛み合い部材と噛合することにより固定され、固定噛み合い部材から離脱することにより回動自在となるロック機構等を利用することができる。
【００３２】
次に、本実施形態に係る介護ベッド用補助具１の使用方法について説明する。本実施形態にかかる介護ベッド用補助具１は、介護ベッドのベッド柵、被介護者を端座させる際の端座補助具、被介護者を車いす等に移乗させる際の移乗補助具及び被介護者に立位等の姿勢を取らせる際のリハビリ訓練用補助具の４つの態様で利用することができる。
【００３３】
図２は、介護ベッド用補助具１のベッド柵としての利用態様を説明するための概念図である。図２に示す通り、まず、介護ベッド用補助具１の連結部材１１の突起部１１１ａ及び１１１ｂを介護ベッド３の側端部３１の上面に設けられた取り付け穴（図示せず）に嵌合させて介護ベッド用補助具１を介護ベッド３の側端部３１の略中央に取り付ける。次に、梁状体１３ａを回動させて、梁状体１３ａを支柱１２ｂ側で介護ベッド３の側端部３１に対して略平行な状態に変位させ、ロックレバー１４ａを締めて梁状体１３ａの位置を固定する。次いで、梁状体１３ｂを回動させて、梁状体１３ｂを支柱１２ａ側で介護ベッド３の側端部３１に対して略平行な状態に変位させ、ロックレバー１４ｂを締めて梁状体１３ｂの位置を固定する。最後に、枠状体１５を回動させて、枠状体１５を支柱１２ｂ側で梁状体１３ｂに対して略平行な状態に変位させ、ロックレバー１４ｃを締めて枠状体１５の位置を固定する。これにより、介護ベッド用補助具１は介護ベッド３のベッド柵として機能し、被介護者が介護ベッド３から落下するのを防止するだけでなく、被介護者が寝返りを打ったり起き上がったりするのを補助することができる。
【００３４】
図３は、介護ベッド用補助具１の端座補助具としての利用態様を説明するための概念図である。図３に示す通り、まず、梁状体１３ａを回動させて、梁状体１３ａを支柱１２ｂ側で介護ベッド３の側端部３１に対して略平行な状態に変位させ、ロックレバー１４ａを締めて梁状体１３ａの位置を固定する。次いで、梁状体１３ｂを回動させて、介護ベッド３の内側で介護ベッド３の側端部３１に対して略垂直な状態に変位させ、ロックレバー１４ｂを締めて梁状体１３ｂの位置を固定する。最後に、枠状体１５を回動させて、枠状体１５を図中の右側で梁状体１３ｂに対して略垂直な状態に変位させ、ロックレバー１４ｃを締めて枠状体１５の位置を固定する。これにより、介護ベッド用補助具１は端座補助具として機能し、被介護者が独りで安全に端座位の姿勢を維持し、被介護者が適切なリハビリ訓練を行えるように補助することができる。
【００３５】
図４は、介護ベッド用補助具１の移乗補助具としての利用態様を説明するための概念図である。図４に示す通り、まず、梁状体１３ａを回動させて、介護ベッド３の外側で介護ベッド３の側端部３１に対して略垂直な状態に変位させ、ロックレバー１４ａを締めて梁状体１３ａの位置を固定する。次いで、梁状体１３ｂを回動させて、介護ベッド３の外側で介護ベッド３の側端部３１に対して略垂直な状態に変位させ、ロックレバー１４ｂを締めて梁状体１３ｂの位置を固定する。最後に、枠状体１５を回動させて、支柱１２ｂと反対側で梁状体１３ｂに対して略平行な状態に変位させ、ロックレバー１４ｃを締めて枠状体１５の位置を固定する。これにより、介護ベッド用補助具１は移乗補助具として機能し、被介助者が介護ベッド３から車いす５へ安全に移乗できるように補助するだけでなく、例えば、ポータブルトイレ等に移乗できるように補助することもできる。
【００３６】
また、介護ベッド用補助具１は、以下の手順に従うことにより、リハビリ訓練用補助具として使用することができる。まず、一方の梁状体を回動させて、介護ベッドの外側で介護ベッドの側端部に対して略垂直な状態に変位させ、ロックレバーを締めて梁状体の位置を固定する。次いで、他方の梁状体を回動させて、介護ベッドの外側で介護ベッドの側端部に対して略垂直な状態に変位させ、ロックレバーを締めて梁状体の位置を固定する。最後に、枠状体を回動させて、両支柱の間で梁状体に対して略垂直な状態に変位させ、ロックレバーを締めて枠状体の位置を固定する。これにより、介護ベッドの側端部に隣接して柵で囲まれた四角い空間を作ることができ、被介護者が当該柵内で端座位から立位の姿勢を取る、又は立位から端座位へと姿勢を変える等といったリハビリ訓練等を安全に行うことができる。
【００３７】
図５は、本考案の第２の実施形態にかかる介護ベッド用補助具２の全体構成を示す概念図であり、図６は、そのＡ−Ａ断面図であり、図７は、介護ベッド用補助具２のベッド柵としての利用態様を説明するための概念図である。なお、介護ベッド用補助具２は、連結部材の構成が異なる以外は、介護ベッド用補助具１と同様の構成を有するので、ここでは連結部材のみの説明を行う。図５〜７において、連結部材２１ａ及び２１ｂは介護ベッド４の側端部４１に固定するための平板状の部材であり、介護ベッド４の側端部４１の上方に側端部４１に略平行に橋設されたスライドレール４２に水平方向に摺動自在に連結されている。連結部材２１ａ及び２１ｂは、ロックレバー２４ｄ及び２４ｅ並びにこれらに連動して動作するロック機構（図示せず）により、スライドレール４２の任意の位置に固定することができるようになっており、介護ベッド用補助具２を必要に応じて任意の位置に移動させることができる。このような構成とすることにより、不要時に介護ベッド用補助具２を、例えば介護ベッド４の側端部４１の前端又は後端に退避させることができるだけでなく、端座補助具又は移乗補助具として利用する際に、先に被介護者を端座させておいてから、介護ベッド用補助具２を被介助者の身体近くまで移動させて被介助者に宛がうことにより、より容易に被介助者を端座させたり移乗させたりすることができる。
【００３８】
なお、本考案の介護ベッド用補助具及び介護ベッドは、上記した実施形態に限定されるものではなく、本考案の要旨を逸脱しない範囲内において種々変更を加え得ることは勿論である。
【００３９】
例えば、上記第１の実施形態における支柱、梁状体及び扁平構造体は、必ずしも略円環状体である必要はなく、例えば、略楕円環状体、略三角環状体、略四角環状体、略円柱体、略楕円柱体、略三角柱体、略四角柱体等で構成されてもよい。また、扁平構造体は、略四角枠以外の枠状体であってもよいし、枠状体以外にも略円板、略楕円板、略三角板、略四角板等の板状体でもよい。更に、連結部材の突起部の数は１つ又は３つ以上であってもよいし、突起部の形状は略楕円柱状、略三角柱状、略四角柱状等であってもよい。また、支柱の下端部を連結部材として機能させることにより、連結部材を設けずに直接支柱をベッドの側端部に固定するように構成されてもよい。
【００４０】
また、上記実施形態では、梁状体をベッドの側端部に対して略水平又は略垂直な状態に変位させるために、梁状体を支柱に固定し、支柱を連結部材に垂直軸回りに回動自在に連結した構成であったが、本考案における梁状体の変位方法はこれに限定されるものではなく、例えば、梁状体を垂直軸回りに回動自在に支柱に連結する構成や、連結部材を垂直軸回りに回動自在にベッドの側端部に連結するものであってもよい。また、これらを回動自在に連結させる構成ではなく、断面が略四角形状、略八角形状、略十字状、略一の字状等の雄部と、これと同様の断面の雌部とを噛合させることにより、連結させるものであってもよい。
【００４１】
また、第１の実施形態における連結部材を摺動自在に構成してもよいし、第２の実施形態における連結部材を突起部等を設けて固定するように構成してもよい。
【産業上の利用可能性】
【００４２】
上述したように、本考案の介護ベッド用補助具は、介護ベッドのベッド柵、被介護者を端座させる際の端座補助具及び被介護者を車いす等に移乗させる際の移乗補助具として利用できるので、病院や介護施設等に入院又は入居している虚弱高齢者、歩行能力が低下した高齢者、大腿骨頚部骨折等の術後患者、脊椎骨折等のリハビリ患者、パーキンソン病等の脳神経疾患による歩行が困難な患者等の介護ベッド用補助具として利用した場合極めて有用である。
【符号の説明】
【００４３】
１、２・・・介護ベッド用補助具
１１、２１ａ、２１ｂ・・・連結部材
１１１ａ、１１１ｂ・・・突起部
１２ａ、１２ｂ、２２ａ、２２ｂ・・・支柱
１３ａ、１３ｂ、２３ａ、２３ｂ・・・梁状体
１４ａ、１４ｂ、１４ｃ、２４ａ、２４ｂ、２４ｃ、２４ｄ、２４ｅ・・・ロックレバー
１５、２５・・・枠状体
３、４・・・介護ベッド
３１、４１・・・側端部
４２・・・スライドレール
５・・・車いす
【図１】
0003158671.tif 000003
【図２】
0003158671.tif 000004
【図３】
0003158671.tif 000005
【図４】
0003158671.tif 000006
【図５】
0003158671.tif 000007
【図６】
0003158671.tif 000008
【図７】
0003158671.tif 000009